(57)【特許請求の範囲】
【請求項１】
送風機と、
集塵器と、
吸込口体と、
前記集塵器と前記吸込口体とを接続する配管と、
イオンまたは帯電微粒子水を含む帯電粒子を発生させる帯電粒子発生装置と、
前記配管の内部を流通する塵埃を検知する検知器と、
前記帯電粒子発生装置を制御する制御部とを備え、
前記帯電粒子発生装置と前記検知器は前記吸込口体に設けられ、
前記検知器は前記帯電粒子発生装置と前記配管の間に配置され、
前記制御部は、前記検知器によって塵埃が検知された場合に、前記送風機の作動によって前記配管を流通する空気に前記帯電粒子が混合されるように、前記帯電粒子発生装置を制御する、掃除装置。
【請求項２】
前記帯電粒子発生装置は、正電位の帯電粒子と負電位の帯電粒子とを発生させ、
前記制御部は、正電位の帯電粒子と負電位の帯電粒子とが同時に発生するように、前記帯電粒子発生装置を制御する、請求項１に記載の掃除装置。
【請求項３】
前記帯電粒子発生装置は、正電位の帯電粒子と負電位の帯電粒子とを発生させ、
前記制御部は、正電位の帯電粒子と負電位の帯電粒子とが交互に発生するように、前記帯電粒子発生装置を制御する、請求項１に記載の掃除装置。
【請求項４】
前記制御部は、正電位の帯電粒子と負電位の帯電粒子とが発生する時期が所定の周期ごとに切り換えられるように、前記帯電粒子発生装置を制御する、請求項３に記載の掃除装置。
【請求項５】
前記制御部は、前記検知器によって塵埃が検知された場合と、前記検知器によって塵埃が検知されない場合とに応じて、正電位の帯電粒子と負電位の帯電粒子とが交互に発生するように、前記帯電粒子発生装置を制御する、請求項３に記載の掃除装置。
【請求項６】
送風機と、
集塵器と、
吸込口体と、
前記集塵器と前記吸込口体とを接続する配管と、
イオンまたは帯電微粒子水を含む帯電粒子を発生させる帯電粒子発生装置と、
前記配管の内部を流通する塵埃を検知する検知器と、
前記帯電粒子発生装置を制御する制御部とを備え、
前記帯電粒子発生装置は、前記吸込口体に配置された第１の帯電粒子発生部と、前記配管において前記吸込口体と前記集塵器との間の位置に配置された第２の帯電粒子発生部とを含み、
前記検知器は前記吸込口体に設けられ、
前記検知器は前記第１の帯電粒子発生部と前記配管の間に配置され、
前記制御部は、前記検知器によって塵埃が検知された場合に、前記送風機の作動によって前記配管を流通する空気に前記帯電粒子が混合されるように、前記第１の帯電粒子発生部が正電位の帯電粒子と負電位の帯電粒子とを交互に発生させ、且つ、前記第１の帯電粒子発生部が発生させる帯電粒子の極性と逆の極性を有する帯電粒子を前記第２の帯電粒子発生部が交互に発生させるように、前記第１の帯電粒子発生部と前記第２の帯電粒子発生部とを制御する掃除装置。
【請求項７】
前記制御部は、正電位の帯電粒子と負電位の帯電粒子とが発生する時期が所定の周期ごとに切り換えられるように、前記第１の帯電粒子発生部と前記第２の帯電粒子発生部とを制御する、請求項６に記載の掃除装置。
【請求項８】
前記制御部は、前記検知器によって塵埃が検知された場合と、前記検知器によって塵埃が検知されない場合とに応じて、正電位の帯電粒子と負電位の帯電粒子とが交互に発生するように、前記第１の帯電粒子発生部と前記第２の帯電粒子発生部とを制御する、請求項６に記載の掃除装置。
【請求項９】
送風機と、
集塵器と、
吸込口体と、
前記集塵器と前記吸込口体とを接続する配管と、
イオンまたは帯電微粒子水を含む帯電粒子を発生させる帯電粒子発生装置と、
前記配管の内部を流通する塵埃を検知する検知器と、
前記帯電粒子発生装置を制御する制御部とを備え、
前記帯電粒子発生装置は、前記吸込口体に配置された第１の帯電粒子発生部と、前記配管において前記吸込口体と前記集塵器との間の位置に配置された第２の帯電粒子発生部とを含み、
前記検知器は前記吸込口体に設けられ、
前記検知器は前記第１の帯電粒子発生部と前記配管の間に配置され、
前記制御部は、前記検知器によって塵埃が検知された場合に、前記送風機の作動によって前記配管を流通する空気に前記帯電粒子が混合されるように、前記第１の帯電粒子発生部が正電位の帯電粒子と負電位の帯電粒子とのいずれか一方を発生させ、且つ、前記第１の帯電粒子発生部が発生させる帯電粒子の極性と逆の極性を有する帯電粒子を前記第２の帯電粒子発生部が発生させるように、前記第１の帯電粒子発生部と前記第２の帯電粒子発生部とを制御する掃除装置。
【発明の詳細な説明】
【技術分野】
【０００１】
本発明は、一般的には掃除装置に関し、特定的には、イオンまたは帯電微粒子水を含む帯電粒子を発生させる帯電物発生装置を備えた掃除装置に関する。
【背景技術】
【０００２】
空気中における放電によって発生する負イオンまたは正イオンと負イオンとを用いることにより、空気中に浮遊する細菌を殺菌し、または、におい物質を除去する技術が知られている。このような技術を利用した装置として、特許第３７７３７６７号公報（以下、特許文献１という）に記載された空気調和機および空気清浄機が従来から知られている。
【０００３】
上記のイオンを発生させる装置を備えた掃除装置として、特開２００３-２５０７２３号公報（以下、特許文献２という）に記載の電気掃除機が知られている。また、ラジカル成分を含む帯電微粒子水を放出する静電霧化ユニットを備えた掃除装置として、特開２０１１-１３６０１１号公報（以下、特許文献３という）に記載の電気掃除機が知られている。
【０００４】
これらの電気掃除機によれば、イオンまたは帯電微粒子水によって、捕集された塵埃の帯電を除去すること、および、塵埃に含まれる菌の繁殖を抑制することができる。さらに、特許文献３に記載の電気掃除機によれば、空気中の微細塵を帯電させることによって、効果的に微細塵を捕集することができるとともに、空気中のウイルスまたはカビ菌等を不活化させることができる。
【先行技術文献】
【特許文献】
【０００５】
【特許文献１】特許第３７７３７６７号公報
【特許文献２】特開２００３−２５０７２３号公報
【特許文献３】特開２０１１−１３６０１１号公報
【発明の概要】
【発明が解決しようとする課題】
【０００６】
しかしながら、イオンを発生させる装置または静電霧化装置を備えた掃除装置において、当該掃除装置の運転が比較的長時間にわたる場合等には、イオンまたは帯電微粒子水（以下、イオンと帯電微粒子水とを総称して帯電粒子という）によって、当該掃除装置において空気が流通する経路と塵埃とが帯電粒子と同じ極性に帯電してしまう。これにより、さらに供給された帯電粒子は、空気が流通する経路と塵埃とに対してクーロン力によって反発されるため、帯電粒子が持つ殺菌等の効果が十分に発揮されない。
【０００７】
そこで、本発明の目的は、帯電粒子発生装置を備えた掃除装置であって、帯電粒子発生装置が発生させる帯電粒子が有する所望の効果を十分に発揮することが可能な掃除装置を提供することである。
【課題を解決するための手段】
【０００８】
本発明に従った掃除装置は、送風機と、集塵器と、吸込口体と、配管と、帯電粒子発生装置と、検知器と、制御部とを備えている。配管は、集塵器と吸込口体とを接続する。帯電粒子発生装置は、イオンまたは帯電微粒子水を含む帯電粒子を発生させる。検知器は、配管の内部を流通する塵埃を検知する。制御部は、帯電粒子発生装置を制御する。制御部は、検知器によって塵埃が検知された場合に、送風機の作動によって配管を流通する空気に帯電粒子が混合されるように、帯電粒子発生装置を制御する。
【０００９】
本発明によれば、検知器によって塵埃が検知された場合に、配管を流通する空気に帯電粒子が混合されるように帯電粒子発生装置が制御されるため、静電気によって配管の内部に塵埃が吸着せず且つ集塵器に塵埃が吸着しないように、配管の電位の中和、または、塵埃の電位の中和に、帯電粒子を供給することができる。そのため、当該掃除装置の運転が比較的長時間にわたる場合等であっても、帯電粒子によって、帯電粒子と同じ極性に配管と塵埃とが帯電することを防止することができる。このようにして、帯電粒子が持つ殺菌等の効果を十分に発揮することができる。
【００１０】
このようにすることにより、帯電粒子発生装置を備えた掃除装置であって、帯電粒子発生装置が発生させる帯電粒子が有する所望の効果を十分に発揮することが可能な掃除装置を提供することができる。
【００１１】
本発明に従った掃除装置において、帯電粒子発生装置は、吸込口体に配置されている。帯電粒子発生装置は、正電位の帯電粒子と負電位の帯電粒子とを発生させる。制御部は、正電位の帯電粒子と負電位の帯電粒子とが同時に発生するように、帯電粒子発生装置を制御する。
【００１２】
この構成によれば、吸込口体から吸い込まれる空気と塵埃とが配管を流通するときに、互いに極性の異なる帯電粒子同士を同時に空気に混合させることができる。そのため、塵埃を含む空気が配管を流通する場合に、帯電した塵埃の極性と逆の極性の帯電粒子によって塵埃を電気的に中和することができ、且つ、帯電した配管の極性と逆の極性の帯電粒子によって配管を電気的に中和することができる。また、塵埃が電気的に中和され、且つ、配管が電気的に中和されることによって、配管と集塵器とに塵埃が吸着することを抑制することができる。このように、この構成によれば、塵埃が検知される場合に塵埃の電位と配管の電位とを、正電位の帯電粒子と負電位の帯電粒子とによって効果的に中和することができるため、帯電粒子が有する殺菌等の効果を十分に発揮することができる。
【００１３】
本発明に従った掃除装置において、帯電粒子発生装置は、吸込口体に配置されている。帯電粒子発生装置は、正電位の帯電粒子と負電位の帯電粒子とを発生させる。制御部は、正電位の帯電粒子と負電位の帯電粒子とが交互に発生するように、帯電粒子発生装置を制御する。
【００１４】
この構成によれば、塵埃が検知される場合には、集塵器に塵埃が捕集されるまでの間に、正の帯電粒子と負の帯電粒子とを交互に配管の内部に送出することができる。塵埃が検知された時点から例えば正電位の帯電粒子が配管に送出される場合に、負電位に帯電した配管には正電位の帯電粒子が吸着する。これにより、配管の内部においては、配管の極性が中性または正電位を保つ状態になる。そのため、配管の内部を塵埃が移動する間には、正電位に帯電している塵埃同士が反発するとともに、配管に塵埃が付着することを抑制することができる。
【００１５】
一方、負の帯電粒子によって、配管の内部に残っている正の電荷を中和するとともに、集塵器に捕集されている正電位の塵埃を中和することができる。また、負の帯電粒子を塵埃に吸着させることによって、殺菌効果を発揮することができる。また、塵埃の帯電と集塵器の帯電とが除去されているため、集塵器には塵埃が吸着しにくい。そのため、集塵器に集められた塵埃を容易に廃棄することができる。
【００１６】
このように、この構成によれば、塵埃が検知される場合には、先に送出された一方の極性の帯電粒子による塵埃または配管の帯電を、後から送出された他方の極性の帯電粒子によって中和することができる。このように、塵埃が検知される度に、正の帯電粒子と負の帯電粒子とを交互に配管の内部に繰り返して送出することができるため、塵埃の電位と配管の電位とを帯電粒子によって効果的に中和することができる。
【００１７】
本発明に従った掃除装置において、制御部は、正電位の帯電粒子と負電位の帯電粒子とが発生する時期が所定の周期ごとに切り換えられるように、帯電粒子発生装置を制御する。
【００１８】
この構成によれば、帯電粒子発生装置は、所定の時間が経過した場合に、正電位の帯電粒子と負電位の帯電粒子とを切り換えて発生させることができる。埃が検知される場合に、正の帯電粒子と負の帯電粒子とを、所定の周期ごとに交互に配管の内部に繰り返して送出することにより、塵埃の電位と配管の電位とを帯電粒子によって効果的に中和することができる。
【００１９】
本発明に従った掃除装置において、制御部は、検知器によって塵埃が検知された場合と、検知器によって塵埃が検知されない場合とに応じて、正電位の帯電粒子と負電位の帯電粒子とが交互に発生するように、帯電粒子発生装置を制御する。
【００２０】
この構成によれば、帯電粒子発生装置は、塵埃が検知される場合と塵埃が検知されない場合とに応じて、正電位の帯電粒子と負電位の帯電粒子とを切り換えて発生させることができる。この構成によれば、塵埃が検知される度に一方の帯電粒子を配管の内部に送出し、塵埃が検知されなくなる度に他方の帯電粒子を配管の内部に送出することによって、正の帯電粒子と負の帯電粒子とを交互に配管の内部に繰り返して送出することができるため、塵埃の電位と配管の電位とを帯電粒子によって効果的に中和することができる。
【００２１】
本発明に従った掃除装置において、帯電粒子発生装置は、吸込口体に配置された第１の帯電粒子発生部と、配管において吸込口体と集塵器との間の位置に配置された第２の帯電粒子発生部とを含む。制御部は、第１の帯電粒子発生部が正電位の帯電粒子と負電位の帯電粒子とを交互に発生させ、且つ、第１の帯電粒子発生部が発生させる帯電粒子の極性と逆の極性を有する帯電粒子を第２の帯電粒子発生部が交互に発生させるように、第１の帯電粒子発生部と第２の帯電粒子発生部とを制御する。
【００２２】
この構成によれば、塵埃が検知された時点から、第１の帯電粒子発生部が例えば正電位の帯電粒子を発生させる場合は、正電位に帯電した塵埃に正電位の帯電粒子は吸着されない。一方、この場合は、負電位に帯電した配管には正電位の帯電粒子が吸着される。これにより、配管は常に電気的に中性を保つか、または、正電位を保つ。そのため、塵埃同士が反発しながら配管を流通するとともに、配管を流通する間に正電位に帯電している塵埃が配管から反発される。このように、この構成によれば、第２の帯電粒子発生部が配置された位置よりも上流において配管に塵埃が付着することを抑制することができる。
【００２３】
一方、塵埃が検知された時点から、第２の帯電粒子発生部が例えば負電位の帯電粒子を発生させる場合は、第２の帯電粒子発生部が配置された位置よりも下流において、塵埃は、負電位の帯電粒子が吸着されることによって殺菌されるとともに、電気的に中和され、または、負電位に帯電する。一方、第２の帯電粒子発生部が配置された位置よりも下流において配管は負電位に帯電しているため、電気的に中和された塵埃または負電位に帯電している塵埃は、配管に反発される。そのため、第２の帯電粒子発生部が配置された位置よりも下流においても、配管に塵埃が付着することを抑制することができる。
【００２４】
第１の帯電粒子発生部は、正電位の帯電粒子を発生させた後に負電位の帯電粒子を発生させるため、正電位に帯電した塵埃に負電位の帯電粒子が吸着される。塵埃は、負電位の帯電粒子が吸着されることによって殺菌されるとともに、電気的に中和され、または、負電位に帯電する。一方、負電位に帯電した配管には負電位の帯電粒子は吸着されない。また、配管を流通する間に、負電位に帯電している塵埃同士が反発するとともに、負電位に帯電した配管には塵埃が反発する。このように、この構成によれば、第２の帯電粒子発生部が配置された位置よりも上流において配管に塵埃が付着することを抑制することができる。
【００２５】
一方、第２の帯電粒子発生部は、負電位の帯電粒子を発生させた後に正電位の帯電粒子を発生させるため、第２の帯電粒子発生部が配置された位置を通過した塵埃は、正電位の帯電粒子が塵埃に吸着することによって電気的に中和されまたは正電位に帯電する。さらに、塵埃は、正の帯電粒子と負の帯電粒子の反応によって殺菌される。第２の帯電粒子発生部が配置された位置よりも下流において配管は負電位に帯電しているため、正電位の帯電粒子が配管に吸着することによって電気的に中和されまたは正電位に帯電する。そのため、第２の帯電粒子発生部が配置された位置よりも下流においても配管に塵埃が付着することを抑制することができる。
【００２６】
このように、第１の帯電粒子発生部において正電位の帯電粒子と負電位の帯電粒子とが交互に発生し、且つ、第１の帯電粒子発生部が発生させる帯電粒子の極性と逆の極性を有する帯電粒子が第２の帯電粒子発生部において交互に発生することが繰り返されることによって、第１の帯電粒子発生部が配置された位置を通過した塵埃は、第２の帯電粒子発生部が配置された位置を通過した後に、逆極性の帯電粒子によって、電気的に中和され且つ殺菌されるという一連の作用が繰り返される。このようにすることにより、集塵器に捕集された塵埃を、電気的に中和された状態および殺菌された状態において堆積させることができる。
【００２７】
本発明に従った掃除装置において、制御部は、正電位の帯電粒子と負電位の帯電粒子とが発生する時期が所定の周期ごとに切り換えられるように、第１の帯電粒子発生部と第２の帯電粒子発生部とを制御する。
【００２８】
この構成によれば、所定の時間が経過した場合に、第１の帯電粒子発生部と第２の帯電粒子発生部とは、正電位の帯電粒子と負電位の帯電粒子とを切り換えて発生させることができる。この構成によれば、第１の帯電粒子発生部は、塵埃が検知される場合に一方の帯電粒子を配管の内部に送出し、所定の時間が経過する場合に他方の帯電粒子を配管の内部に送出することによって、正の帯電粒子と負の帯電粒子とを所定の周期ごとに交互に配管の内部に繰り返して送出することができる。また、第２の帯電粒子発生部は、塵埃が検知される場合に他方の帯電粒子を配管の内部に送出し、所定の時間が経過する場合に一方の帯電粒子を配管の内部に送出することによって、正の帯電粒子と負の帯電粒子とを所定の周期ごとに交互に配管の内部に繰り返して送出することができる。このようにして、塵埃の電位と配管の電位とを帯電粒子によって効果的に中和することができる。
【００２９】
本発明に従った掃除装置において、制御部は、検知器によって塵埃が検知された場合と、検知器によって塵埃が検知されない場合とに応じて、正電位の帯電粒子と負電位の帯電粒子とが交互に発生するように、第１の帯電粒子発生部と第２の帯電粒子発生部とを制御する。
【００３０】
この構成によれば、塵埃が検知される場合と塵埃が検知されない場合とに応じて、第１の帯電粒子発生部と第２の帯電粒子発生部とは、正電位の帯電粒子と負電位の帯電粒子とを切り換えて発生させることができる。この構成によれば、第１の帯電粒子発生部は、塵埃が検知される度に一方の帯電粒子を配管の内部に送出し、塵埃が検知されなくなる度に他方の帯電粒子を配管の内部に送出することによって、正の帯電粒子と負の帯電粒子とを交互に配管の内部に繰り返して送出することができる。また、第２の帯電粒子発生部は、塵埃が検知される度に他方の帯電粒子を配管の内部に送出し、塵埃が検知されなくなる度に一方の帯電粒子を配管の内部に送出することによって、正の帯電粒子と負の帯電粒子とを交互に配管の内部に繰り返して送出することができる。このようにして、塵埃の電位と配管の電位とを帯電粒子によって効果的に中和することができる。
【００３１】
本発明に従った掃除装置において、帯電粒子発生装置は、吸込口体に配置された第１の帯電粒子発生部と、配管において吸込口体と集塵器との間の位置に配置された第２の帯電粒子発生部とを含む。制御部は、第１の帯電粒子発生部が正電位の帯電粒子と負電位の帯電粒子とのいずれか一方を発生させ、且つ、第１の帯電粒子発生部が発生させる帯電粒子の極性と逆の極性を有する帯電粒子を第２の帯電粒子発生部が発生させるように、第１の帯電粒子発生部と第２の帯電粒子発生部とを制御する。
【００３２】
この構成によれば、塵埃が検知された時点から、第１の帯電粒子発生部が例えば正電位の帯電粒子を発生させる場合は、正電位に帯電した塵埃に正電位の帯電粒子は吸着されない。一方、この場合には、負電位に帯電した配管に正電位の帯電粒子が吸着されることによって、配管は、電気的に中和され、または、正電位に帯電する。そのため、塵埃同士が反発しながら配管を流通するとともに、配管を流通する間に電気的に正電位に帯電している塵埃が配管から反発される。このように、この構成によれば、第２の帯電粒子発生部が配置された位置よりも上流において配管に塵埃が付着することを抑制することができる。
【００３３】
一方、塵埃が検知された時点から、第２の帯電粒子発生部が例えば負電位の帯電粒子を発生させる場合は、第２の帯電粒子発生部が配置された位置よりも下流において、塵埃は、負電位の帯電粒子が吸着されることによって殺菌されるとともに、電気的に中和され、または、負電位に帯電する。一方、第２の帯電粒子発生部が配置された位置よりも下流において配管は負電位に帯電しているため、電気的に中和された塵埃または負電位に帯電している塵埃は、配管に反発される。そのため、第２の帯電粒子発生部が配置された位置よりも下流においても、配管に塵埃が付着することを抑制することができる。
【発明の効果】
【００３４】
以上のように、本発明によれば、帯電粒子発生装置を備えた掃除装置であって、帯電粒子発生装置が発生させる帯電粒子が有する所望の効果を十分に発揮することが可能な掃除装置を提供することができる。
【図面の簡単な説明】
【００３５】
【図１】本発明の第１実施形態に係る掃除装置の全体を示す斜視図である。
【図２】送風機と集塵器とを含む本発明の第１実施形態に係る掃除装置の掃除装置の一部の内部の構造を示す縦断面図である。
【図３】本発明の第１実施形態に係る掃除装置の吸込口体の全体を示す斜視図である。
【図４】本発明の第１実施形態に係る掃除装置の吸込口体の内部の構造を示す縦断面図である。
【図５】本発明の第１実施形態に係る掃除装置の配管の一部を構成する延長管の全体を示す斜視図である。
【図６】本発明の第１実施形態に係る掃除装置の帯電粒子発生装置の全体を示す斜視図である。
【図７】本発明の第１実施形態に係る掃除装置の帯電粒子発生装置が有する回路を示す図である。
【図８】本発明の第１実施形態に係る掃除装置の制御ブロック図である。
【図９】本発明の第１実施形態に係る掃除装置において、帯電粒子発生装置が帯電粒子を発生させる時期を模式的に示す図である。
【図１０】本発明の第２実施形態に係る掃除装置の帯電粒子発生装置の全体を示す斜視図である。
【図１１】本発明の第２実施形態に係る掃除装置の帯電粒子発生装置が有する回路を示す図である。
【図１２】本発明の第２実施形態に係る掃除装置の制御ブロック図である。
【図１３】本発明の第２実施形態に係る掃除装置において、帯電粒子発生装置が帯電粒子を発生させる時期を模式的に示す図である。
【図１４】本発明の第３実施形態に係る掃除装置において、帯電粒子発生装置が帯電粒子を発生させる時期を模式的に示す図である。
【図１５】本発明の第４実施形態に係る掃除装置の全体を示す斜視図である。
【図１６】本発明の第４実施形態に係る掃除装置において、帯電粒子発生装置が帯電粒子を発生させる時期を模式的に示す図である。
【図１７】本発明の第５実施形態に係る掃除装置において、帯電粒子発生装置が帯電粒子を発生させる時期を模式的に示す図である。
【図１８】本発明の第６実施形態に係る掃除装置において正の帯電粒子を発生させる帯電粒子発生装置の全体を示す斜視図である。
【図１９】本発明の第６実施形態に係る掃除装置において負の帯電粒子を発生させる帯電粒子発生装置の全体を示す斜視図である。
【図２０】本発明の第６実施形態に係る掃除装置において正の帯電粒子を発生させる帯電粒子発生装置が有する回路を示す図である。
【図２１】本発明の第６実施形態に係る掃除装置において負の帯電粒子を発生させる帯電粒子発生装置が有する回路を示す図である。
【図２２】本発明の第６実施形態に係る掃除装置において、帯電粒子発生装置が帯電粒子を発生させる時期を模式的に示す図である。
【図２３】使用状態である本発明の第７実施形態に係る掃除装置を示す概略図である。
【発明を実施するための形態】
【００３６】
以下、本発明の実施の形態を図面に基づいて説明する。
【００３７】
（第１実施形態）
図１に、本発明の第１実施形態に係る掃除装置の一例としての電気掃除機１００を示す。電気掃除機１００は、本体１と吸込口体２と延長管３と手元操作部４とホース５と帯電粒子発生装置６とを備えている。
【００３８】
図２に示すように、本体１には、送風機１１と集塵器１２とフィルタ１３と送風経路１４とが収容されている。本体１を形成する筐体は、所望の強度を保つために、例えばＡＢＳ樹脂（アクリルニトリルブタジエンスチレン共重合体）等で形成されている。本体１には、本体１の内部に空気および塵埃を流入させる吸込口１０ａと、塵埃が取り除かれた空気を本体１の外部に流出させるための排気口１０ｂとが形成されている。
【００３９】
送風経路１４は、本体１の内部において空気が流通する経路として、吸込口１０ａから排気口１０ｂまで繋がる経路を含む。送風経路１４は、本体１の内部において送風機１１と集塵器１２とフィルタ１３とを繋ぐ経路である。また、送風経路１４は、ホース５（図１参照）の内部と吸込口体２（図４参照）の内部とを含む。吸込口１０ａよりも上流の送風経路１４は、ホース５と吸込口体２とを含む配管によって形成されている。
【００４０】
サイクロン式の集塵器１２は、筒形状を有している。集塵器１２には、集塵器１２の内部に空気および塵埃を流入するための吸込口１２ａが形成されている。また、集塵器１２は、塵埃が分離された空気を集塵器１２の外部に流出するための排気筒１２ｂを有する。排気筒１２ｂは、集塵器１２の半径方向の中心部に配置されている。排気筒１２ｂは、略上下方向に延びている。排気筒が延びる方向は、図２の上下方向に略一致している。
【００４１】
送風機１１は、金属製のターボファンが金属製のケーシングで囲まれたものである。ターボファンは、高速回転可能な電動機の回転に基づいて回転する。送風機１１は、風量を稼ぐよりも圧力変化に強いといった特徴を有している。送風機１１によって吸引される空気は、本体１の吸込口１０ａから吸い込まれて、集塵器１２の吸込口１２ａから集塵器１２に流入する。
【００４２】
集塵器１２に流入した空気は、集塵器１２の内部を回転しながら下降した後に、排気筒１２ｂの内部を上昇して、集塵器１２から流出する。さらに、空気は、フィルタ１３を経由して、送風機１１に吸い込まれた後に、排気口１０ｂから本体１の外部に流出する。集塵器１２において集塵されずに空気に残った微細な塵埃は、フィルタ１３によって取り除かれる。本体１の外部には、集塵器１２とフィルタ１３とを通過することによって浄化された空気が排出される。
【００４３】
図３と図４とに示すように、吸込口体２は、接続配管２０と上部自在継手２１と下部自在継手２２と円筒継手２３と筐体２４とバンパー２５と回転ブラシ２６とを備えている。接続配管２０は、吸込口体２と延長管３（図１参照）との接続部である。接続配管２０の内部を含む吸込口体２の内部も、送風経路１４の一部を形成している。
【００４４】
筐体２４は、樹脂製のケースである。筐体２４は、回転ブラシ２６を回転可能に収納する。バンパー２５は、筐体２４と家具等との衝突を緩和するために、筐体２４の前方に配置されている。筐体２４と接続配管２０との間には、接続配管２０を上下左右に回転自在に筐体２４に接続するように構成されている。詳細には、筐体２４と接続配管２０との間に配置された上部自在継手２１、下部自在継手２２および円筒継手２３によって、接続配管２０は、上下左右に回転することができる。
【００４５】
上部自在継手２１と下部自在継手２２とは、それぞれ半球体形状を有している。上部自在継手２１と下部自在継手２２とが接続配管２０のそれぞれ上下に固定されることによって、上部自在継手２１と下部自在継手２２とは略球体の形状を形成する。一方、円筒継手２３は、筐体２４に挿入されている。上部自在継手２１と下部自在継手２２とが固定された接続配管２０は、円筒継手２３に挿入され、円筒継手２３の円周方向に回転することができる。このような構成により、電気掃除機１００（図１参照）の使用者は、筐体２４に対して接続配管２０を上下左右に回転させることによって、吸込口体２を操作する角度を自由に得ることができる。このような構成により、吸込口体２を用いた電気掃除機１００（図１参照）の操作性を向上することができる。
【００４６】
図５に示すように、延長管３は、二重管で構成される樹脂製の管であって、外管３ａと内管３ｂとを有している。延長管３は、所望の強度を保つために、例えばＡＢＳ樹脂（アクリルニトリルブタジエンスチレン共重合体）等で形成されている。外管３ａの一方端は手元操作部４に接続され、他方端は円管を切断した端面が形成されている。内管３ｂの一方端は、外管３ａに摺動可能に挿入されている。延長管３の先端部を形成する延長管３の他方端は、吸込口体２に接続される。延長管３と手元操作部４とは、それぞれ配管の一部を構成する。なお、延長管３は、図示しない電気配線を内蔵している。吸込口体２には、本体１から供給される電力が手元操作部４を経由して伝達される。
【００４７】
図１に示すように、手元操作部４は、延長管３に接続される。手元操作部４は、吸込口体２を目的場所に移動させ且つ操作するための把手である。また、手元操作部４には、本体１を電気的に制御するための入力手段が設けられている。後述するように、手元操作部４には、入力手段の一例として例えば、運転ＯＮ／ＯＦＦスイッチ４１と、強弱切換スイッチ４２と、回転ブラシスイッチ４３と、帯電粒子発生装置ＯＮ／ＯＦＦスイッチ４４（いずれも図８参照）とが内蔵されている。また、手元操作部４には、出力手段としての表示部４５が配置されている。
【００４８】
ホース５は、軟質塩化ビニル等の柔軟な樹脂膜を螺旋状に巻き付けて形成される管である。ホース５は、延長管３と同様に、手元操作部４と本体１とを電気的に接続するための電線を内蔵している。
【００４９】
電気掃除機１００（図１参照）を使用して室内等を掃除する場合には、吸込口体２の回転ブラシ２６（いずれも図４参照）が床面を擦りながら掃くことによって、床面の塵埃が掻き出される。塵埃は、吸込口体２と床面との隙間から吸い込まれた空気によって接続配管２０、延長管３（図１参照）、および、ホース５（図１参照）を経由して、吸込口１０ａ（図２参照）から本体１（図２参照）の内部に流入する。空気とともに本体１に流入した塵埃は、集塵器１２によって捕集される。この場合に、ナイロン、人毛、羊毛または木綿等のごみを含む塵埃は、摩擦によって正の電位に帯電し、延長管３またはホース５等の樹脂製の管は、負の電位に帯電することが知られている。このため、空気とともに吸い込まれた塵埃のうちの比較的大きなごみは、風の力によって集塵器１２まで搬送される。一方、微細な埃は、延長管３またはホース５等の樹脂製の管の内側に付着する。
【００５０】
以下においては、配管としての樹脂製の管の内側に微細な埃が付着することを防止するための構成、および、帯電粒子発生装置６について説明する。図１に示すように、電気掃除機１００において、帯電粒子発生装置６は、吸込口体２に配置されている。
【００５１】
図６に示すように、帯電粒子発生装置６は、本体部６ａと帯電粒子放出部６ｂと帯電粒子放出部６ｃとを備えている。帯電粒子放出部６ｂは、針状の放電電極６１ｂと、誘導電極６２ｂとを備えている。帯電粒子放出部６ｃは、針状の放電電極６１ｃと、誘導電極６２ｃとを備えている。誘導電極６２ｂ，６２ｃは、それぞれ穴があけられた板金である。誘導電極６２ｂの穴の中心線を通る直線と、放電電極６１ｂの先端部が延びる方向とが略一致するように、針状の放電電極６１ｂは、本体部６ａの内部に配置される。同様に、誘導電極６２ｃの穴の中心線を通る直線と、放電電極６１ｃの先端部が延びる方向とが略一致するように、針状の放電電極６１ｃは、本体部６ａの内部に配置される。このように、帯電粒子放出部６ｂと帯電粒子放出部６ｃとは、同じ構造を有している。
【００５２】
また、本体部６ａには、放電電極６１ｂ，６１ｃに印加される高圧の電気を発生させる回路が内蔵されている。本体部６ａは、放電電極６１ｂ，６１ｃと、誘導電極６２ｂ，６２ｃと、これらの回路とを収容する筐体である。図７には、帯電粒子発生装置６の回路の一例を示す。当該回路においては、外部電源から供給される交流電気によって、パルス信号が発生する。パルス信号が高圧発生トランスによって昇圧されることにより、高圧電気パルスが発生する。発生した高圧電気パルスは、それぞれダイオードを介して放電電極６１ｂ，６１ｃに入力される。放電電極６１ｂには、正の電気パルスが印加される。放電電極６１ｃには、負の電気パルスが印加される。放電電極６１ｂ，６１ｃにそれぞれ高圧の電気が印加されることによって、それぞれ放電電極６１ｂ，６１ｃと誘導電極６２ｂ，６２ｃとの間の空間において電気が放電される。放電電極６１ｂからは正の帯電粒子が放出され、放電電極６１ｃからは負の帯電粒子が放出される。
【００５３】
帯電粒子発生装置６においては、帯電粒子として、正イオンと負イオンとが発生する。正イオンとしては、Ｈ+（Ｈ2Ｏ）m（ｍは任意の自然数）であり、負イオンとしてはＯ2-（Ｈ2Ｏ）n（ｎは任意の自然数）である。このような正イオンと負イオンとによって、空気中の細菌またはカビ菌の表面に正イオンおよび負イオンが付着して結合し、その時に起こる反応によって活性種である水酸基ラジカル（・ＯＨ）または過酸化水素（Ｈ2Ｏ2）が発生し、その酸化作用によって細菌またはカビ菌を殺菌することができる。
【００５４】
また、電気掃除機１００（図１参照）は、検出器７（図４参照）を備えている。図４に示すように、帯電粒子発生装置６と検出器７とは、接続配管２０に取り付けられている。接続配管２０において送風経路１４を形成する壁面には、帯電粒子放出部６ｂと対向する位置と、帯電粒子放出部６ｃと対向する位置とに、それぞれ貫通孔２０ａ，２０ｂが形成されている。発生した正イオンと負イオンとを含むイオンは、貫通孔２０ａ，２０ｂを介して、送風経路１４を流通する空気の流れの作用によって接続配管２０の内部に送出される。
【００５５】
検出器７は、配管のうちの接続配管２０の内部を流通する塵埃を検出する。検出器７の例としては、光の反射を利用する小型のものである。このような機器は、既に多く使用されているものであるため、検出器７として好適に用いることができる。接続配管２０の壁面には、検出器７と対向する位置に貫通孔２７が形成されている。これにより、接続配管２０を流通する空気に含まれる塵埃を検出することができる。
【００５６】
電気掃除機１００（図１参照）は、帯電粒子発生装置６を制御する制御装置１５（図８参照）を備えている。図示されていないが、制御装置１５は、本体１（図１参照）に収容されている。制御装置１５は、コードリールによって収納される電源コード（図示せず）を介して、外部から供給される電力を受けるように構成されている。図８に示すように、制御装置１５は、帯電粒子発生装置６と送風機１１と回転ブラシ２６と表示部４５とを制御する。検出器７によって検出された塵埃を検知する部分としての検知器の一例は、制御装置１５によって構成されている。また、制御装置１５は、帯電粒子発生装置６を制御する制御部の一例である。制御装置１５は、時間を計測するタイマ１５ａを有している。
【００５７】
制御装置１５は、手元操作部４に設けられた入力手段から送信された信号に対応して、送風機１１等を制御する。運転ＯＮ／ＯＦＦスイッチ４１は、送風機１１の運転の開始と停止とを指示するための手段である。強弱切換スイッチ４２は、送風機１１の回転数を変更して吸引強さを選択するための手段である。回転ブラシスイッチ４３は、吸込口体２に配置された電動式の回転ブラシ２６の回転の開始と停止とを選択するための手段である。帯電粒子発生装置ＯＮ／ＯＦＦスイッチ４４は、帯電粒子発生装置６の運転の開始と停止とを指示するための手段である。表示部４５は、電気掃除機１００（図１参照）の運転状況もしくは運転操作の内容、または、運転異常時の警報等を表示する。
【００５８】
電気掃除機１００（図１参照）を使用して室内等を掃除する場合には、手元操作部４（図１参照）の各入力手段を使用者が操作することによって、運転開始のための指示が制御装置１５に入力される。制御装置１５から発せられた指示によって、送風機１１が回転を開始する。また、制御装置１５から発せられた指示によって、回転ブラシ２６がモータ等の駆動装置（図示せず）の駆動に応じて回転する。回転ブラシ２６の回転または送風機１１が発生させる吸引力によって、塵埃を含むごみが床面から掻き出される。塵埃は、吸込口体２（図４参照）と床面との隙間から吸い込まれた空気とともに、接続配管２０（図４参照）を経由して延長管３およびホース５（いずれも図１参照）の内部を移動した後に、集塵器１２（図２参照）に集められる。
【００５９】
制御装置１５から発せられた指示によって、帯電粒子発生装置６は、送風機１１が回転している間に、帯電粒子としての正イオンと負イオンとを同時に発生させる。このとき、正イオンと負イオンとは、数１００Ｈｚの周期で発生する。正イオンと負イオンとは、接続配管２０の内部に放出され、本体１に吸引される空気に正イオンと負イオンとが同時に混合される。空気とともに塵埃が送風経路１４を流通する間には、正電位に帯電した塵埃に負イオンが吸着し、負電位に帯電した延長管３またはホース５等の樹脂性の管に正イオンが吸着する。このようにして、電気掃除機１００の運転中には、樹脂性の管と塵埃とが常に電気的に中性を保つため、吸込口体２から集塵器１２に至るまでの送風経路１４に塵埃が付着することが抑制される。また、正電位に帯電した塵埃に負イオンが付着して塵埃が電気的に中和されるときと同時に、負イオンによって、または、負イオンと正イオンとの反応によって塵埃が殺菌される。
【００６０】
電気掃除機１００においては、制御装置１５は、制御装置１５によって塵埃が検知された場合に、接続配管２０を流通する空気に、正イオンと負イオンとが混合されるように、帯電粒子発生装置６を制御する。制御装置１５は、図９に示すように、帯電粒子発生装置６が正イオンと負イオンとを発生させる事例と、帯電粒子発生装置６が作動を停止する事例とに区別して、帯電粒子発生装置６を制御する。具体的には、制御装置１５は、塵埃が継続して吸い込まれているときには帯電粒子発生装置６が正イオンと負イオンとを発生させるように、塵埃が検知されないときには帯電粒子発生装置６が作動を停止するように、帯電粒子発生装置６を制御する。このようにすることにより、吸込口体２から吸い込まれた塵埃を、都度、帯電粒子としてのイオンによって殺菌したうえで、集塵器１２に集めることができる。
【００６１】
以上のように、電気掃除機１００は、送風機１１と、集塵器１２と、吸込口体２と、ホース５と吸込口体２とを含む配管と、帯電粒子発生装置６と、検出器７と、制御装置１５とを備えている。配管は、集塵器１２と吸込口体２とを接続する。帯電粒子発生装置６は、帯電粒子として正イオンと負イオンとを発生させる。検出器７は、配管の内部を流通する塵埃を検出する。制御装置１５は、検出器７によって検出される塵埃を検知する。制御装置１５は、帯電粒子発生装置６を制御する。また、制御装置１５は、塵埃が検知された場合に、送風機１１の作動によって配管を流通する空気に帯電粒子が混合されるように、帯電粒子発生装置６を制御する。
【００６２】
電気掃除機１００によれば、制御装置１５によって塵埃が検知された場合に、配管を流通する空気に正イオンと負イオンとが混合されるように帯電粒子発生装置６が制御されるため、静電気によって配管の内部に塵埃が吸着せず且つ集塵器１２に塵埃が吸着しないように、配管の電位の中和、または、塵埃の電位の中和に、正イオンと負イオンとを供給することができる。そのため、電気掃除機１００の運転が比較的長時間にわたる場合等であっても、正イオンと負イオンによって、正イオンまたは負イオンと同じ極性に配管と塵埃とが帯電することを防止することができる。このようにして、イオンが持つ殺菌等の効果を十分に発揮することができる。
【００６３】
このように、電気掃除機１００は、帯電粒子発生装置６を備えた掃除装置であって、帯電粒子発生装置６が発生させる正イオンと負イオンとが有する所望の効果を十分に発揮することができる。
【００６４】
帯電粒子発生装置６は、吸込口体２に配置されている。帯電粒子発生装置６は、正イオンと負イオンとを発生させる。制御装置１５は、正イオンと負イオンとが同時に発生するように、帯電粒子発生装置６を制御する。
【００６５】
この構成によれば、吸込口体２から吸い込まれる空気と塵埃とが配管を流通するときに、互いに極性の異なるイオン同士を同時に空気に混合させることができる。そのため、塵埃を含む空気が配管を流通する場合に、帯電した塵埃の極性と逆の極性のイオンによって塵埃を電気的に中和することができ、且つ、帯電した配管の極性と逆の極性のイオンによって配管を電気的に中和することができる。また、塵埃が電気的に中和され、且つ、配管が電気的に中和されることによって、配管と集塵器１２とに塵埃が吸着することを抑制することができる。このように、この構成によれば、塵埃が検知される場合に塵埃の電位と配管の電位とを、正イオンと負イオンとによって効果的に中和することができるため、帯電粒子が有する殺菌等の効果を十分に発揮することができる。
【００６６】
なお、帯電粒子発生装置６が発生させる帯電粒子の例は、正イオンと負イオンとに限定されない。例えば、正イオンと負イオンとのイオン種を特定せずにイオンが発生する場合には、イオンが有する電荷によって、付着対象である物体の電位を除去すること、または、空間のイオンバランスを調整することができる。
【００６７】
一方、発生するイオンの例が負イオンのみである場合には、対象物の正電荷に負イオンを帯電させて、対象物の電位を除去することができるため、同時に殺菌効果を得ることができる。また一方、帯電粒子の例が帯電微粒子水である場合には、帯電微粒子水が持つ電荷による除電効果と、帯電微粒子水に含まれるイオンによる殺菌効果とを得ることができる。
【００６８】
なお、帯電粒子発生装置６は、吸込口体２に配置されることに限定されず、手元操作部４、延長管３またはホース５に配置されていてもよい。また、帯電粒子発生装置６は、本体１の吸込口１０ａもしくは集塵器１２の吸込口１２ａ、または、これらの近傍に配置されていてもよい。さらに、帯電粒子発生装置６は、上記位置のいずれか複数の位置に配置されていてもよい。ただし、このような位置に帯電粒子発生装置６が配置される場合であっても、制御装置１５は、帯電粒子発生装置６を上述のように制御することが好ましい。
【００６９】
（第２実施形態）
以下では、第２実施形態に係る掃除装置について、図１０〜１３を用いて説明する。なお、以下において、第１実施形態に係る掃除装置の一例である電気掃除機１００の構成と同様の機能を有する構成には同符号を付し、その説明を省略する。
【００７０】
以下に説明するように、第２実施形態に係る掃除装置が、第１実施形態に係る掃除装置としての電気掃除機１００と異なる点は、第２実施形態に係る掃除装置の帯電粒子発生装置６５（図１０参照）の構成が、第１実施形態の電気掃除機１００の帯電粒子発生装置６の構成と異なっている。第２実施形態に係る掃除装置の帯電粒子発生装置６５は、正の電位の帯電粒子と負の電位の帯電粒子とを分けて発生させるように構成されている。なお、帯電粒子発生装置６５は、第１実施形態の電気掃除機１００の帯電粒子発生装置６と同様に、吸込口体２（図４参照）に配置されている。
【００７１】
図１０に示すように、帯電粒子発生装置６５は、本体部６５ａと正電位の帯電粒子放出部６５ｂと負電位の帯電粒子放出部６５ｃとを備えている。帯電粒子放出部６５ｂと帯電粒子放出部６５ｃとは、回路構成を除いて、同じ構造を有している。帯電粒子放出部６５ｂと帯電粒子放出部６５ｃとは、それぞれ、針状の放電電極６５１ｂと放電電極６５１ｃと、誘導電極６５２ｂと誘導電極６５２ｃとを備えている。誘導電極６５２ｂ，６５２ｃは、それぞれ穴があけられた板金である。
【００７２】
誘導電極６５２ｂの穴の中心線を通る直線と、放電電極６５１ｂの先端部が延びる方向とが略一致するように、針状の放電電極６５１ｂは、本体部６５ａの内部に配置される。同様に、誘導電極６５２ｃの穴の中心線を通る直線と、放電電極６５１ｃの先端部が延びる方向とが略一致するように、針状の放電電極６５１ｃは、本体部６５ａの内部に配置される。本体部６５ａは、放電電極６５１ｂ，６５１ｃと、誘導電極６５２ｂ，６５２ｃと、これらの回路とを収容する筐体である。
【００７３】
図１１に示すように、帯電粒子発生装置６５においては、高圧トランスを含むパルス発生部として、二つの回路が形成されている。一方の回路は、高圧トランスの出力が放電電極６５１ｂに接続されて正電位の帯電粒子を発生させる。他方の回路は、高圧トランスの出力が放電電極６５１ｃに接続されて負電位の帯電粒子を発生させる。一方の回路と他方の回路とには、それぞれ、出力を制御するためのスイッチとして、回路切換スイッチ６５１ａと回路切換スイッチ６５２ａとを有している。
【００７４】
図１２は、第２実施形態に係る掃除装置の制御ブロック図である。帯電粒子発生装置６５においては、制御装置１５の指示によって回路切換スイッチ６５１ａと回路切換スイッチ６５２ａとが切り換えられる。帯電粒子発生装置６５は、回路切換スイッチ６５１ａ，６５２ａの切り換えにより、正電位の帯電粒子と負電位の帯電粒子とを別々に発生させることができる。なお、図示されていないが、帯電粒子発生装置６５は、第１実施形態の電気掃除機１００（図１参照）の帯電粒子発生装置６（図１参照）と同様に、吸込口体２に配置されている。また、第２実施形態に係る掃除装置においては、第１実施形態の電気掃除機１００（図１参照）と同様に、帯電粒子発生装置６５と検出器７とが、接続配管２０に取り付けられている。
【００７５】
制御装置１５から発せられた指示によって、帯電粒子発生装置６５は、送風機１１が回転している間に、帯電粒子としての正イオンと負イオンとを交互に発生させる。正イオンと負イオンとは、接続配管２０の内部に放出され、本体１に吸引される空気に混合される。制御装置１５は、図１３に示すように、帯電粒子発生装置６５が正イオンを発生させる事例と、帯電粒子発生装置６５が負イオンを発生させる事例とに区別して、帯電粒子発生装置６５を制御する。さらに、制御装置１５は、正イオンと負イオンとが発生する時期が所定の周期ごとに切り換えられるように、帯電粒子発生装置６５を制御する。
【００７６】
なお、所定の周期は、実験等において測定された時間に基づいて予め設定されている。所定の周期は、例えば、配管の内部を流通する塵埃が吸込口体２から手元操作部４に至る時間の２倍の時間である。また例えば、所定の周期は、塵埃が吸込口体２から手元操作部４に至る時間であってもよい。
【００７７】
具体的には、制御装置１５は、塵埃が吸い込まれた時点から帯電粒子発生装置６５が正イオンを発生させるように、帯電粒子発生装置６５が正イオンを所定時間発生させ続けた後に負イオンを発生させるように、さらに、帯電粒子発生装置６５が負イオンを所定時間発生させ続けた後に正イオンを発生させるように、帯電粒子発生装置６５を制御する。第２実施形態に係る掃除装置においては、制御装置１５が塵埃を検知しなくなるまで、帯電粒子発生装置６５のこのような作動が繰り返される。
【００７８】
以上のように、第２実施形態に係る掃除装置において、帯電粒子発生装置６５は、吸込口体２に配置されている。帯電粒子発生装置６５は、正イオンと負イオンとを発生させる。制御装置１５は、正イオンと負イオンとが交互に発生するように、帯電粒子発生装置６５を制御する。
【００７９】
この構成によれば、塵埃が検知される場合には、集塵器１２に塵埃が捕集されるまでの間に、正イオンと負イオンとを交互に配管の内部に送出することができる。塵埃が検知された時点から正イオンが配管に送出される場合に、負電位に帯電した配管には正イオンが吸着する。これにより、配管の内部においては、配管の極性が中性または正電位を保つ状態になる。そのため、配管の内部を塵埃が移動する間には、正電位に帯電している塵埃同士が反発するとともに、配管に塵埃が付着することを抑制することができる。
【００８０】
一方、負イオンによって、配管の内部に残っている正の電荷を中和するとともに、集塵器１２に捕集されている正電位の塵埃を中和することができる。また、負イオンを塵埃に吸着させることによって、殺菌効果を発揮することができる。また、塵埃の帯電と集塵器１２の帯電とが除去されているため、集塵器１２には塵埃が吸着しにくい。そのため、集塵器１２に集められた塵埃を容易に廃棄することができる。
【００８１】
このように、この構成によれば、塵埃が検知される場合には、先に送出された正イオンによる塵埃または配管の帯電を、後から送出された負イオンによって中和することができる。このように、塵埃が検知される度に、正イオンと負イオンとを交互に配管の内部に繰り返して送出することができるため、塵埃の電位と配管の電位とを正イオンと負イオンとによって効果的に中和することができる。
【００８２】
第２実施形態に係る掃除装置において、制御装置１５は、正イオンと負イオンとが発生する時期が所定の周期ごとに切り換えられるように、帯電粒子発生装置６５を制御する。
【００８３】
この構成によれば、帯電粒子発生装置６５は、所定の時間が経過した場合に、正イオンと負イオンとを切り換えて発生させることができる。塵埃が検知される場合に、正イオンと負イオンとを、所定の周期ごとに交互に配管の内部に繰り返して送出することにより、塵埃の電位と配管の電位とを正イオンと負イオンによって効果的に中和することができる。
【００８４】
（第３実施形態）
以下では、第３実施形態に係る掃除装置について、図１４を用いて説明する。なお、以下において、第１実施形態に係る掃除装置の一例である電気掃除機１００の構成および第２実施形態に係る掃除装置の帯電粒子発生装置６５と同様の機能を有する構成には同符号を付し、その説明を省略する。
【００８５】
以下に説明するように、第３実施形態に係る掃除装置が、第２実施形態に係る掃除装置と異なる点は、第３実施形態に係る掃除装置において、制御装置１５は、検出器７によって塵埃が検知された後に塵埃が検知されなくなった場合に、正電位の帯電粒子から負電位の帯電粒子に切り換えて帯電粒子発生装置６５（いずれも図１２参照）が正イオンと負イオンとを発生させるように、帯電粒子発生装置６５を制御する。
【００８６】
第３実施形態に係る掃除装置は、第２実施形態に係る掃除装置と同様に、帯電粒子発生装置６５（図１１参照）を備えている。第２実施形態に係る掃除装置と同様に、帯電粒子発生装置６５は、吸込口体２（図４参照）に配置されている。
【００８７】
図１４に示すように、第３実施形態に係る掃除装置において、制御装置１５は、帯電粒子発生装置６５が正イオンを発生させる事例と、帯電粒子発生装置６５が負イオンを発生させる事例とに区別して、帯電粒子発生装置６５を制御する。詳細には、制御装置１５は、塵埃が検知された場合と、塵埃が検知されない場合とに応じて、正イオンと負イオンとが交互に発生するように、帯電粒子発生装置６５を制御する。
【００８８】
具体的には、制御装置１５は、塵埃が吸い込まれた時点から帯電粒子発生装置６５が正イオンを発生させるように、帯電粒子発生装置６５が正イオンを発生させている間に塵埃が検知されなくなる場合に負イオンを発生させるように、さらに、帯電粒子発生装置６５が負イオンを発生させている間に塵埃が検知される場合に正イオンを発生させるように、帯電粒子発生装置６５を制御する。第３実施形態に係る掃除装置においては、当該掃除装置の運転が停止されるまで、帯電粒子発生装置６５のこのような作動が繰り返される。
【００８９】
以上のように、第３実施形態に係る掃除装置において、制御装置１５は、制御装置１５によって塵埃が検知された場合と、制御装置１５によって塵埃が検知されない場合とに応じて、正イオンと負イオンとが交互に発生するように、帯電粒子発生装置６５を制御する。
【００９０】
この構成によれば、帯電粒子発生装置６５は、塵埃が検知される場合と塵埃が検知されない場合とに応じて、正イオンと負イオンとを切り換えて発生させることができる。この構成によれば、塵埃が検知される度に正イオンを配管の内部に送出し、塵埃が検知されなくなる度に負イオンを配管の内部に送出することによって、正イオンと負イオンとを交互に配管の内部に繰り返して送出することができるため、塵埃の電位と配管の電位とを正イオンと負イオンによって効果的に中和することができる。
【００９１】
なお、第３実施形態に係る掃除装置においては、帯電粒子発生装置６５が最初に正電位の帯電粒子を発生させるように作動することに限定されず、帯電粒子発生装置６５が最初に負電位の帯電粒子を発生させるように作動していてもよい。
【００９２】
なお、第３実施形態に係る掃除装置においては、正電位の帯電粒子が放出される時間長さと負電位の帯電粒子が放出される時間長さとが同じでないことによって、延長管３とホース５等または塵埃に帯電が残留する事態が生じる可能性がある。しかしながら、延長管３とホース５等または塵埃に帯電が残留していても、直後に送出される逆極性の帯電粒子によって、真っ先に電位を中和させることができる。
【００９３】
（第４実施形態）
以下では、第４実施形態に係る掃除装置について、図１５，１６を用いて説明する。なお、以下において、第１実施形態に係る掃除装置の一例である電気掃除機１００の構成および第２，３実施形態に係る掃除装置の帯電粒子発生装置６５と同様の機能を有する構成には同符号を付し、その説明を省略する。
【００９４】
以下に説明するように、第４実施形態に係る掃除装置が、第１，２，３実施形態に係る掃除装置と異なる点は、第４実施形態に係る掃除装置においては、二つの帯電粒子発生装置６５が、それぞれ、吸込口体２と、配管において吸込口体２と集塵器１２との間の位置とに配置されている。つまり、第４実施形態に係る掃除装置の帯電粒子発生装置は、吸込口体２に配置された帯電粒子発生装置６５と、送風経路１４において吸込口体２（いずれも図４参照）と集塵器１２（図２参照）との間の位置に配置された帯電粒子発生装置６５とを含む。
【００９５】
図１５に、第４実施形態に係る掃除装置の一例としての電気掃除機４００を示す。図１５に示すように、電気掃除機４００においては、吸込口体２に一つの帯電粒子発生装置６５が配置され、手元操作部４に一つの帯電粒子発生装置６５が配置されている。吸込口体２に配置された帯電粒子発生装置６５は第１の帯電粒子発生部の一例であって、手元操作部４に配置された帯電粒子発生装置６５は第２の帯電粒子発生部の一例である。
【００９６】
電気掃除機４００において、制御装置１５（図１２参照）は、吸込口体２に配置された帯電粒子発生装置６５が正電位の帯電粒子と負電位の帯電粒子とを交互に発生させ、且つ、吸込口体２に配置された帯電粒子発生装置６５が発生させる帯電粒子の極性と逆の極性を有する帯電粒子を手元操作部４に配置された帯電粒子発生装置６５が交互に発生させるように、二つの帯電粒子発生装置６５を制御する。つまり、吸込口体２に配置された帯電粒子発生装置６５が正電位の帯電粒子を発生させる場合には、手元操作部４に配置された帯電粒子発生装置６５は、負電位の帯電粒子を発生させる。また、制御装置１５は、正電位の帯電粒子と負電位の帯電粒子とが発生する時期が所定の周期ごとに切り換えられるように、吸込口体２に配置された帯電粒子発生装置６５と、手元操作部４に配置された帯電粒子発生装置６５とを制御する。なお、所定の周期は、例えば、配管の内部を流通する塵埃が吸込口体２から手元操作部４に至る時間の２倍の時間である。また例えば、所定の周期は、塵埃が吸込口体２から手元操作部４に至る時間であってもよい。
【００９７】
吸込口体２に配置された帯電粒子発生装置６５は、周期的に正の帯電粒子または負の帯電粒子を発生させることによって、吸込口体２に吸い込まれた空気に帯電粒子を混合させる。手元操作部４に配置された帯電粒子発生装置６５は、吸込口体２に配置された帯電粒子発生装置６５と同じ周期で、正の帯電粒子または負の帯電粒子を発生させることにより、手元操作部４の内部を流通する空気に帯電粒子を混合させる。
【００９８】
図１６は、第４実施形態の電気掃除機４００において、二つの帯電粒子発生装置６５が帯電粒子をそれぞれ発生させる時期を模式的に示す図である。塵埃が検知される場合には、図１６に示すように、吸込口体２に配置された帯電粒子発生装置６５の起動から時間Ｔだけ遅れて、手元操作部４に配置された帯電粒子発生装置６５が起動する。
【００９９】
時間Ｔは、実験等において測定された時間に基づいて予め設定されている。時間Ｔは、検出された塵埃が集塵器１２に到達するまでの時間よりも短いことが好ましい。時間Ｔは、例えば、検出器７の位置を通過した塵埃が手元操作部４に到達するまでの時間として設定されている。なお、時間Ｔは、０（ゼロ）であっても構わない。
【０１００】
塵埃が検知されない場合には、帯電粒子発生装置６５は帯電粒子の生成を停止する。電気掃除機４００の運転が継続されて再び塵埃が吸い込まれることによって塵埃が検知される場合には、再び、吸込口体２の帯電粒子発生装置６５が最初に正イオンを発生させ、手元操作部４の帯電粒子発生装置６５が最初に負イオンを発生させる。第４実施形態の電気掃除機４００においては、電気掃除機４００の運転が停止されるまで、帯電粒子発生装置６５のこのような作動が繰り返される。
【０１０１】
以上のように、電気掃除機４００は、吸込口体２に配置された第１の帯電粒子発生部の一例としての帯電粒子発生装置６５と、手元操作部４に配置された第２の帯電粒子発生部の一例としての帯電粒子発生装置６５とを備えている。制御装置１５は、吸込口体２に配置された帯電粒子発生装置６５が正イオンと負イオンとを交互に発生させ、且つ、吸込口体２に配置された帯電粒子発生装置６５が発生させるイオンの極性と逆の極性を有するイオンを手元操作部４に配置された帯電粒子発生装置６５が交互に発生させるように、吸込口体２の帯電粒子発生装置６５と手元操作部４の帯電粒子発生装置６５とを制御する。
【０１０２】
この構成によれば、塵埃が検知された時点から、吸込口体２の帯電粒子発生装置６５が正イオンを発生させる場合は、正電位に帯電した塵埃に正イオンは吸着されない。一方、この場合は、負電位に帯電した配管には正イオンが吸着される。これにより、配管は常に電気的に中性を保つか、または、正電位を保つ。そのため、塵埃同士が反発しながら配管を流通するとともに、配管を流通する間に正電位に帯電している塵埃が配管から反発される。このように、この構成によれば、手元操作部４の帯電粒子発生装置６５が配置された位置よりも上流において配管に塵埃が付着することを抑制することができる。
【０１０３】
一方、塵埃が検知された時点から、手元操作部４の帯電粒子発生装置６５が負イオンを発生させる場合は、手元操作部４の帯電粒子発生装置６５が配置された位置よりも下流において、塵埃は、負イオンが吸着されることによって殺菌されるとともに、電気的に中和され、または、負電位に帯電する。一方、手元操作部４の帯電粒子発生装置６５が配置された位置よりも下流において配管は負電位に帯電しているため、電気的に中和された塵埃または負電位に帯電している塵埃は、配管に反発される。そのため、手元操作部４の帯電粒子発生装置６５が配置された位置よりも下流においても、配管に塵埃が付着することを抑制することができる。
【０１０４】
吸込口体２の帯電粒子発生装置６５は、正イオンを発生させた後に負イオンを発生させるため、正電位に帯電した塵埃に負イオンが吸着される。塵埃は、負イオンが吸着されることによって殺菌されるとともに、電気的に中和され、または、負電位に帯電する。一方、負電位に帯電した配管には負イオンは吸着されない。また、配管を流通する間に、負電位に帯電している塵埃同士が反発するとともに、負電位に帯電した配管には塵埃が反発する。このように、この構成によれば、手元操作部４の帯電粒子発生装置６５が配置された位置よりも上流において配管に塵埃が付着することを抑制することができる。
【０１０５】
一方、手元操作部４の帯電粒子発生装置６５は、負イオンを発生させた後に正イオンを発生させるため、手元操作部４の帯電粒子発生装置６５が配置された位置を通過した塵埃は、正イオンが塵埃に吸着することによって電気的に中和されまたは正電位に帯電する。さらに、塵埃は、正イオンと負イオンの反応によって殺菌される。手元操作部４の帯電粒子発生装置６５が配置された位置よりも下流において配管は負電位に帯電しているため、正イオンが配管に吸着することによって電気的に中和されまたは正電位に帯電する。そのため、手元操作部４の帯電粒子発生装置６５が配置された位置よりも下流においても配管に塵埃が付着することを抑制することができる。
【０１０６】
このように、吸込口体２の帯電粒子発生装置６５において正イオンと負イオンとが交互に発生し、且つ、吸込口体２の帯電粒子発生装置６５が発生させるイオンの極性と逆の極性を有するイオンが手元操作部４の帯電粒子発生装置６５において交互に発生することが繰り返されることによって、吸込口体２の帯電粒子発生装置６５が配置された位置を通過した塵埃は、手元操作部４の帯電粒子発生装置６５が配置された位置を通過した後に、逆極性のイオンによって、電気的に中和され且つ殺菌されるという一連の作用が繰り返される。このようにすることにより、集塵器１２に捕集された塵埃を、電気的に中和された状態および殺菌された状態において堆積させることができる。
【０１０７】
第４実施形態に係る掃除装置において、制御装置１５は、正イオンと負イオンとが発生する時期が所定の周期ごとに切り換えられるように、吸込口体２の帯電粒子発生装置６５と手元操作部４の帯電粒子発生装置６５とを制御する。
【０１０８】
この構成によれば、所定の時間が経過した場合に、吸込口体２の帯電粒子発生装置６５と手元操作部４の帯電粒子発生装置６５とは、正イオンと負イオンとを切り換えて発生させることができる。この構成によれば、吸込口体２の帯電粒子発生装置６５は、塵埃が検知される場合に正イオンを配管の内部に送出し、所定の時間が経過する場合に負イオンを配管の内部に送出することによって、正イオンと負イオンとを所定の周期ごとに交互に配管の内部に繰り返して送出することができる。また、手元操作部４の帯電粒子発生装置６５は、塵埃が検知される場合に負イオンを配管の内部に送出し、所定の時間が経過する場合に正イオンを配管の内部に送出することによって、正イオンと負イオンとを所定の周期ごとに交互に配管の内部に繰り返して送出することができる。このようにして、塵埃の電位と配管の電位とを正イオンと負イオンとによって効果的に中和することができる。
【０１０９】
なお、第４実施形態に係る掃除装置においては、吸込口体２の帯電粒子発生装置６５が最初に正電位の帯電粒子を発生させるように作動することに限定されず、吸込口体２の帯電粒子発生装置６５が最初に負電位の帯電粒子を発生させるように作動していてもよい。つまり、手元操作部４の帯電粒子発生装置６５が最初に正電位の帯電粒子を発生させるように作動していてもよい。このような構成であっても、上述した作用効果と同様の作用効果を得ることができる。
【０１１０】
なお、帯電粒子発生装置６５の数は、２に限定されず、３以上であってもよい。例えば、吸込口体２に１以上の第１の帯電粒子発生部が配置され、吸込口体２よりも下流において１以上の第２の帯電粒子発生部が配置されていてもよい。
【０１１１】
なお、第１の帯電粒子発生部は、吸込口体２に配置されることに限定されず、手元操作部４、延長管３またはホース５に配置されていてもよい。また、第２の帯電粒子発生部は、手元操作部４に配置されることに限定されない。
【０１１２】
特に、第２の帯電粒子発生部の位置については、本体１の吸込口１０ａもしくは集塵器１２の吸込口１２ａ、または、これらの近傍であってもよい。ただし、このような位置に第２の帯電粒子発生部が配置される場合であっても、正の帯電粒子を発生させる時期と負の帯電粒子を発生させる時期とが切り換えられる周期は、上述のように設定されていることが好ましい。
【０１１３】
（第５実施形態）
以下では、第５実施形態に係る掃除装置について説明する。なお、以下において、第１実施形態に係る掃除装置の一例である電気掃除機１００の構成および第２，３，４実施形態に係る掃除装置の帯電粒子発生装置６５と同様の機能を有する構成には同符号を付し、その説明を省略する。
【０１１４】
以下に説明するように、第５実施形態に係る掃除装置が、第４実施形態に係る掃除装置と異なる点は、第５実施形態に係る掃除装置において、制御装置１５（図１２参照）は、塵埃が検知される場合と、塵埃が検知されない場合とに応じて、正電位の帯電粒子と負電位の帯電粒子とが交互に発生するように、二つの帯電粒子発生装置６５を制御する。
【０１１５】
図１７は、第５実施形態に係る掃除装置において、二つの帯電粒子発生装置６５が帯電粒子をそれぞれ発生させる時期を模式的に示す図である。図１７に示すように、吸込口体２に配置された帯電粒子発生装置６５の起動から時間Ｔだけ遅れて、手元操作部４に配置された帯電粒子発生装置６５が起動する。
【０１１６】
第５実施形態に係る掃除装置において、塵埃が検出された時点から、吸込口体２に配置された帯電粒子発生装置６５は正イオンを発生させる。手元操作部４に配置された帯電粒子発生装置６５は、帯電粒子発生装置６５の起動から時間Ｔだけ遅れて、負イオンを発生させる。また、塵埃が検出されない場合には、制御装置１５によって塵埃が検知されなくなった時点から、吸込口体２に配置された帯電粒子発生装置６５は負イオンを発生させる。手元操作部４に配置された帯電粒子発生装置６５は、吸込口体２の帯電粒子発生装置６５の負イオンの生成から時間Ｔだけ遅れて、正イオンを発生させる。
【０１１７】
このように、第５実施形態に係る掃除装置において、制御装置１５は、吸込口体２の帯電粒子発生装置６５が正イオンを発生させ、且つ、手元操作部４の帯電粒子発生装置６５が負イオンを発生させる事例と、吸込口体２の帯電粒子発生装置６５が負イオンを発生させ、且つ、手元操作部４の帯電粒子発生装置６５が正イオンを発生させる事例とに区別して、二つの帯電粒子発生装置６５を制御する。詳細には、制御装置１５は、塵埃が検知された場合と、塵埃が検知されない場合とに応じて、それぞれ正イオンと負イオンとが交互に発生するように、二つの帯電粒子発生装置６５を制御する。
【０１１８】
制御装置１５は、塵埃が吸い込まれた時点から、吸込口体２の帯電粒子発生装置６５が正イオンを発生させるように、吸込口体２の帯電粒子発生装置６５が正イオンを発生させている間に塵埃が検知されなくなる場合に負イオンを発生させるように、さらに、吸込口体２の帯電粒子発生装置６５が負イオンを発生させている間に塵埃が検知される場合に正イオンを発生させるように、吸込口体２の帯電粒子発生装置６５を制御する。吸込口体２に配置された帯電粒子発生装置６５が正イオンを発生させる場合には、手元操作部４に配置された帯電粒子発生装置６５は、負イオンを発生させる。逆に、吸込口体２に配置された帯電粒子発生装置６５が負イオンを発生させる場合には、手元操作部４に配置された帯電粒子発生装置６５は、負イオンを発生させる。第５実施形態に係る掃除装置においては、当該掃除装置の運転が停止されるまで、二つの帯電粒子発生装置６５のこのような作動が繰り返される。
【０１１９】
以上のように、第５実施形態に係る掃除装置において、制御装置１５は、制御装置１５によって塵埃が検知された場合と、制御装置１５によって塵埃が検知されない場合とに応じて、正イオンと負イオンとが交互に発生するように、吸込口体２の帯電粒子発生装置６５と手元操作部４の帯電粒子発生装置６５とを制御する。
【０１２０】
この構成によれば、塵埃が検知される場合と塵埃が検知されない場合とに応じて、吸込口体２の帯電粒子発生装置６５と手元操作部４の帯電粒子発生装置６５とは、正イオンと負イオンとを切り換えて発生させることができる。この構成によれば、吸込口体２の帯電粒子発生装置６５は、塵埃が検知される度に正イオンを配管の内部に送出し、塵埃が検知されなくなる度に負イオンを配管の内部に送出することによって、正イオンと負イオンとを交互に配管の内部に繰り返して送出することができる。また、手元操作部４の帯電粒子発生装置６５は、塵埃が検知される度に負イオンを配管の内部に送出し、塵埃が検知されなくなる度に正イオンを配管の内部に送出することによって、正イオンと負イオンとを交互に配管の内部に繰り返して送出することができる。このようにして、塵埃の電位と配管の電位とを正イオンと負イオンとによって効果的に中和することができる。
【０１２１】
（第６実施形態）
以下では、第６実施形態に係る掃除装置について、図１８〜２２を用いて説明する。なお、以下において、第１実施形態に係る掃除装置の一例である電気掃除機１００の構成と同様の機能を有する構成には同符号を付し、その説明を省略する。
【０１２２】
以下に説明するように、第６実施形態に係る掃除装置が、第１実施形態に係る掃除装置としての電気掃除機１００と異なる点は、第６実施形態に係る掃除装置の帯電粒子発生装置７０（図１８参照）の構成と帯電粒子発生装置７１（図１９参照）の構成とが、第１実施形態の電気掃除機１００の帯電粒子発生装置６の構成と異なっている。
【０１２３】
また、第６実施形態に係る掃除装置が、第４，５実施形態に係る掃除装置と異なる点は、第６実施形態に係る掃除装置において、帯電粒子発生装置７０は、正電位の帯電粒子のみを発生させるように構成されている。帯電粒子発生装置７１は、負電位の帯電粒子のみを発生させるように構成されている。
【０１２４】
なお、第１の帯電粒子発生部の一例としての帯電粒子発生装置７０と第２の帯電粒子発生部の一例としての帯電粒子発生装置７１とは、第４，５実施形態に係る掃除装置の二つの帯電粒子発生装置６５と同様に、それぞれ吸込口体２と手元操作部４（いずれも図４参照）に配置されている。このように、第６実施形態に係る掃除装置の帯電粒子発生装置は、吸込口体２に配置された帯電粒子発生装置７０と、送風経路１４（図４参照）において吸込口体２と集塵器１２（図２参照）との間の位置に配置された帯電粒子発生装置７１とを含む。
【０１２５】
図１８と図１９とに示すように、帯電粒子発生装置７０，７１は、それぞれ本体部７０ａ，７１ａと帯電粒子放出部７０ｂ，７１ｃとを備えている。帯電粒子発生装置７０の帯電粒子放出部７０ｂは、針状の放電電極７０１ｂと、誘導電極７０２ｂとを備えている。帯電粒子発生装置７１の帯電粒子放出部７１ｃは、針状の放電電極７１１ｃと、誘導電極７１２ｃとを備えている。誘導電極７０２ｂ，７１２ｃは、それぞれ穴があけられた板金である。誘導電極７０２ｂの穴の中心線を通る直線と、放電電極７０１ｂの先端部が延びる方向とが略一致するように、針状の放電電極７０１ｂは、本体部７０ａの内部に配置される。同様に、誘導電極７１２ｃの穴の中心線を通る直線と、放電電極７１１ｃの先端部が延びる方向とが略一致するように、針状の放電電極７１１ｃは、本体部７１ａの内部に配置される。
【０１２６】
また、本体部７０ａ，７１ａには、それぞれ放電電極７０１ｂ，７１１ｃに印加される高圧の電気を発生させる回路が内蔵されている。本体部７０ａは、放電電極７０１ｂと、誘導電極７０２ｂと、これらの回路とを収容する筐体である。本体部７１ａは、放電電極７１１ｃと、誘導電極７１２ｃと、これらの回路とを収容する筐体である。図２０と図２１とには、それぞれ帯電粒子発生装置７０の回路の一例と帯電粒子発生装置７１の回路の一例とを示す。負電位の帯電粒子発生装置７１は、正電位の帯電粒子発生装置７０における帯電粒子放出部７０ｂのダイオードが逆向きに取り付けられた構成を有している。
【０１２７】
第６実施形態に係る掃除装置において、制御装置１５（図８参照）は、第１の帯電粒子発生部としての帯電粒子発生装置７０が正イオンを発生させ、且つ、第２の帯電粒子発生部としての帯電粒子発生装置７１が負イオンを発生させるように、帯電粒子発生装置７０と帯電粒子発生装置７１とを制御する。
【０１２８】
図２２は、第６実施形態に係る掃除装置において、帯電粒子発生装置７０と帯電粒子発生装置７１とが帯電粒子をそれぞれ発生させる時期を模式的に示す図である。塵埃が検知される場合には、図２２に示すように、吸込口体２に配置された帯電粒子発生装置７０の起動から時間Ｔだけ遅れて、手元操作部４に配置された帯電粒子発生装置７１が起動する。
【０１２９】
塵埃が検知されない場合には、帯電粒子発生装置７０と帯電粒子発生装置７１とは帯電粒子の生成を停止する。当該掃除装置の運転が継続されて再び塵埃が吸い込まれることによって塵埃が検知される場合には、再び、吸込口体２の帯電粒子発生装置７０が正イオンを発生させ、手元操作部４の帯電粒子発生装置７１が負イオンを発生させる。当該掃除装置の運転が停止されるまで、このような帯電粒子発生装置７０の作動と帯電粒子発生装置７１の作動とが繰り返される。
【０１３０】
以上のように、第６実施形態に係る掃除装置において、第１の帯電粒子発生部の一例としての帯電粒子発生装置７０は、吸込口体２に配置され、第２の帯電粒子発生部の一例としての帯電粒子発生装置７１は、手元操作部４に配置されている。制御装置１５は、吸込口体２の帯電粒子発生装置７０が正イオンを発生させ、且つ、手元操作部４の帯電粒子発生装置７１が負イオンを発生させるように、帯電粒子発生装置７０，７１を制御する。
【０１３１】
この構成によれば、塵埃が検知された時点から、帯電粒子発生装置７０が正イオンを発生させる場合は、正電位に帯電した塵埃に正イオンは吸着されない。一方、この場合には、負電位に帯電した配管に正イオンが吸着されることによって、配管は、電気的に中和され、または、正電位に帯電する。そのため、塵埃同士が反発しながら配管を流通するとともに、配管を流通する間に電気的に正電位に帯電している塵埃が配管から反発される。このように、この構成によれば、帯電粒子発生装置７１が配置された位置よりも上流において配管に塵埃が付着することを抑制することができる。
【０１３２】
一方、塵埃が検知された時点から、帯電粒子発生装置７１が負イオンを発生させる場合は、帯電粒子発生装置７１が配置された位置よりも下流において、塵埃は、負イオンが吸着されることによって殺菌されるとともに、電気的に中和され、または、負電位に帯電する。一方、帯電粒子発生装置７１が配置された位置よりも下流において配管は負電位に帯電しているため、電気的に中和された塵埃または負電位に帯電している塵埃は、配管に反発される。そのため、帯電粒子発生装置７１が配置された位置よりも下流においても、配管に塵埃が付着することを抑制することができる。
【０１３３】
なお、第６実施形態に係る掃除装置においては、吸込口体２に配置された帯電粒子発生装置７０が正イオンを発生させ、手元操作部４に配置された帯電粒子発生装置７１が負イオンを発生させることに限定されず、吸込口体２に帯電粒子発生装置７１が配置されることによって、吸込口体２において負イオンが空気に混合され、且つ、手元操作部４に帯電粒子発生装置７０が配置されることによって、手元操作部４の内部において正イオンが空気に混合されるように構成されていてもよい。このような構成であっても、上述した作用効果と同様の作用効果を得ることができる。
【０１３４】
なお、第１の帯電粒子発生部としての帯電粒子発生装置７０は、吸込口体２に配置されることに限定されず、手元操作部４、延長管３またはホース５に配置されていてもよい。また、第２の帯電粒子発生部としての帯電粒子発生装置７１は、手元操作部４に配置されることに限定されない。
【０１３５】
特に、第２の帯電粒子発生部の位置については、本体１の吸込口１０ａもしくは集塵器１２の吸込口１２ａ、または、これらの近傍に配置されていてもよい。ただし、このような位置に第２の帯電粒子発生部が配置される場合であっても、制御装置は、第１の帯電粒子発生部と第２の帯電粒子発生部とを上述のように制御することが好ましい。
【０１３６】
（第７実施形態）
図２３に、第７実施形態に係る掃除装置の一例としての集中式掃除機を示す。集中式掃除機は、家庭用の真空式掃除機の応用である。集中式掃除機は、吸込口体２と、集塵装置１０と、操作部１４０と、ホース１５０ａと、コネクタ１５０ｂと、配管１５０ｃと、排気管１５０ｄと、複数の帯電粒子発生装置６５とを備えている。集塵装置１０は、集塵器１１０と送風機１２０とを備えている。
【０１３７】
本体を形成する集塵装置１０は、床下等の居住空間の外に配置される。コネクタ１５０ｂは、壁面または床面に設置される。配管１５０ｃは、コネクタ１５０ｂと集塵装置１０とを接続する。操作部１４０は、室内に設置されている。ユーザは、操作部１４０を操作することによって、室内において集中式掃除機を使用することができる。また、コネクタ１５０ｂ、配管１５０ｃおよび操作部１４０が、居住空間において複数の部屋に設けられているため、ユーザは、各部屋において集中式掃除機を使用することができる。図示しない制御装置は、例えば集塵装置１０に内蔵されている。あるいは、制御装置は、各コネクタ１５０ｂに内蔵されていてもよく、各操作部１４０に内蔵されていてもよい。
【０１３８】
ユーザが集中式掃除機を使用する場合は、コネクタ１５０ｂにホース１５０ａが接続され、さらに吸込口体２にホース１５０ａの先端が接続される。吸込口体２から空気とともに吸い込まれた塵埃は、ホース１５０ａの内部を流通した後に、コネクタ１５０ｂおよび配管１５０ｃを経由して集塵器１１０に集められる。集塵器１１０において塵埃が取り除かれた空気は、排気管１５０ｄから外部へ排出される。
【０１３９】
集中式掃除機においては、上述した第４，５実施形態に係る掃除装置と同様に、吸込口体２に帯電粒子発生装置６５が配置され、且つ、コネクタ１５０ｂに帯電粒子発生装置６５が配置されている。複数の帯電粒子発生装置６５に対する制御装置の制御と、複数の帯電粒子発生装置６５の作動とは、第４，５実施形態に係る掃除装置と同様であるとして、説明を省略する。
【０１４０】
また、掃除装置としての集中式掃除機の他の例は、第１，２，３実施形態に係る掃除装置と同様に、吸込口体２に配置された帯電粒子発生装置を備えたものであってもよい。あるいは、集中式掃除機の他の例は、第６実施形態に係る掃除装置と同様に、正電位の帯電粒子と負電位の帯電粒子とのいずれか一方を発生させる第１の帯電粒子発生部と、第１の帯電粒子発生部が発生させる帯電粒子の極性と逆の極性を有する帯電粒子を発生させる第２の帯電粒子発生部とを備えたものであってもよい。
【０１４１】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【０１４２】
２：吸込口体、３：延長管、５：ホース、６：帯電粒子発生装置、７：検出器、１１：送風機、１２：集塵器、１４：送風経路、１５：制御装置、１００：電気掃除機
【図１】
0005947119.tif 000002
【図２】
0005947119.tif 000003
【図３】
0005947119.tif 000004
【図４】
0005947119.tif 000005
【図５】
0005947119.tif 000006
【図６】
0005947119.tif 000007
【図７】
0005947119.tif 000008
【図８】
0005947119.tif 000009
【図９】
0005947119.tif 000010
【図１０】
0005947119.tif 000011
【図１１】
0005947119.tif 000012
【図１２】
0005947119.tif 000013
【図１３】
0005947119.tif 000014
【図１４】
0005947119.tif 000015
【図１５】
0005947119.tif 000016
【図１６】
0005947119.tif 000017
【図１７】
0005947119.tif 000018
【図１８】
0005947119.tif 000019
【図１９】
0005947119.tif 000020
【図２０】
0005947119.tif 000021
【図２１】
0005947119.tif 000022
【図２２】
0005947119.tif 000023
【図２３】
0005947119.tif 000024